(57)【要約】【課題】少ないキーでＤＶＤビデオのメニュー操作を実現する。【解決手段】ＤＶＤビデオ再生システム１００は、ステアリングリモコン２００のＡキー２００ａまたはＢキー２００ｂで操作する。ＤＶＤビデオ再生システム１００を、光ディスク１１のタイトル再生中あるいはメニュー再生中に、Ａキー２００ａまたはＢキー２００ｂをそれぞれ短押しあるいは長押しすることで、少ないキー数でより多くの操作を可能とした。これにより、運転中に必要されるＤＶＤビデオ再生システム１００の操作を、Ａキー２００ａまたはＢキー２００ｂで実現することが可能となる。【選択図】図１
2013196714.tif 000002
【特許請求の範囲】
【請求項１】
ＤＶＤビデオ規格で記録媒体に記録された映像および音声情報を再生可能なＤＶＤビデオ再生システムであって、
前記再生システムを操作するため、前記再生システム内のシステムコントローラを制御する少なくとも第１および第２キーを有したリモコンを備え、
前記再生システムで前記記録媒体のタイトル再生中の第１モード時またはメニュー再生中の第２モード時に、前記第１キーおよび前記第２のキーのいずれか１つを短押しあるいは長押し操作を受け付けることによって前記システムコントローラを制御し、番号の付されたチャプターを選択する順序を、昇順にするか降順にするかを選択可能とする、ＤＶＤビデオ再生システム。
【請求項２】
前記リモコンで前記第１キーの短押し操作を受け付けた場合と、前記第１キーの長押し操作を受け付けた場合とで、前記システムコントローラによる制御内容を異ならしめる請求項１記載のＤＶＤビデオ再生システム。
【請求項３】
前記リモコンで前記第２キーの短押し操作を受け付けた場合と、前記第２キーの長押し操作を受け付けた場合とで、前記システムコントローラによる制御内容を異ならしめる請求項１または請求項２記載のＤＶＤビデオ再生システム。
【請求項４】
前記リモコンは、ステアリングリモコンであって、
前記第1キーまたは第２キーが、当該ステアリングリモコンのＡキーまたはＢキーである、請求項１〜３記載の何れかに記載のＤＶＤビデオ再生システム。
【発明の詳細な説明】
【技術分野】
【０００１】
この発明の実施形態は、少ない数の操作キーで多機能操作を可能とするＤＶＤビデオ再生システムに関する。
【背景技術】
【０００２】
従来、車載用のＤＶＤビデオ再生システムでは、運転中操作する場合の安全性を向上させる考えから、ステアリングリモコンはキー数が少ない方が都合がよいとされている。ステアリングリモコンは、図７に示すように、中心の十字スイッチＳＷ１が操作画面上のカーソルを、上方に移動させるスイッチＳＷ１Ｕ、下方に移動させるスイッチＳＷ１Ｄ、左方に移動させるＳＷ１Ｌ、右方に移動させるＳＷ１Ｒ、それに決定・登録用のスイッチＳＷ２、戻るスイッチＳＷ３、ボリュームダウンスイッチＳＷ４、ボリュームアップスイッチＳＷ５から構成される。
【０００３】
従来のステアリングリモコンでは、ＤＶＤビデオのメニュー操作に縦・横の操作を必要としているため、十字キーを含め多くのスイッチが必要であり、少ないキーではメニュー操作できない、という課題があった。
【先行技術文献】
【特許文献】
【０００４】
【特許文献１】特開２００８−０８２７１７号公報
【発明の概要】
【発明が解決しようとする課題】
【０００５】
この実施形態では、ＤＶＤビデオのメニューをシーケンシャルに扱うことにより、少ないキーでメニュー操作を可能としたＤＶＤビデオ再生システムを提供する。
【課題を解決するための手段】
【０００６】
実施形態によれば、ＤＶＤビデオ規格で記録媒体に記録された映像および音声情報を再生可能なＤＶＤビデオ再生システムであって、前記再生システムを操作するため、前記再生システム内のシステムコントローラを制御する少なくとも第１および第２キーを有したリモコンを備え、前記再生システムで前記記録媒体のタイトル再生中の第１モード時またはメニュー再生中の第２モード時に、前記第１キーおよび前記第２のキーのいずれか１つを短押しあるいは長押し操作を受け付けることによって前記システムコントローラを制御し、番号の付されたチャプターを選択する順序を、昇順にするか降順にするかを選択可能とする。
【図面の簡単な説明】
【０００７】
【図１】ＤＶＤビデオ再生システムに関する一実施形態について説明するための概念的なシステム構成図である。
【図２】図１に用いるステアリングリモコンの外観例について説明するための説明図である。
【図３】ステアリングリモコンの機能について説明するための説明図である。
【図４】ステアリングリモコンで操作可能な多機能操作例のアルゴリズムについて説明するための説明図である。
【図５】図４のチャプター選択処理例について説明するための説明図である。
【図６】チャプター選択について説明するための説明図である。
【図７】従来のステアリングリモコンの外観について説明するための説明図である。
【発明を実施するための形態】
【０００８】
以下、実施形態について、図面を参照しながら詳細に説明する。
【０００９】
（実施形態）
図１は、ＤＶＤビデオ再生システムに関する一実施形態について説明するための概念的なシステム構成図である。
【００１０】
図１において、１００はＤＶＤ（Digital Versatile Disc）等のディスク型記録媒体である光ディスク１１を再生するためのＤＶＤビデオ再生システムである。光ディスク１１は、スピンドルモータ１２によって一定の線速度で回転される。光ディスク１１からの情報の読み取りは、光ピックアップ１３によって行われ、光ディスク１１にレーザ光を照射し、その反射光によって光ディスク１１に記録されている情報が読み出される。
【００１１】
光ピックアップ１３は、送りモータ１４によって光ディスク１１の半径方向に移動制御され、再生位置を決定する。１５はサーボ制御部であり、後述するシステムコントローラ２２から供給される制御信号に応じて、スピンドルモータ１２の回転を制御するとともに、光ピックアップ１３のトラッキング制御、フォーカス制御、および送りモータ１４の駆動制御を行う。
【００１２】
ＲＦアンプ１６は、光ピックアップ１３によって読み出した情報に対応するＲＦ信号を増幅して次段に伝達する。また、このＲＦアンプ１６は、ＲＦ信号からフォーカス制御用の信号およびトラッキング制御用の信号を分離して、これらの制御信号をサーボ制御部１５に送る。
【００１３】
サーボ制御部１５は、フォーカス制御用の信号に基づいて光ピックアップ１３のアクチュエータ（図示せず）を制御し、光ビームが光ディスク１１上に常時ジャストフォーカスとなるように制御する。また、トラッキング制御用の信号に基づいてアクチュエータ制御を行い、光ピックアップ１３のトラッキング方向の移動を制御する。これにより、データの再生を正確に行うようにしている。
【００１４】
デジタル信号処理部１７は、ＲＦアンプ１６から出力されたＲＦ信号をデジタル化し、デジタル化された信号の復調処理と誤り訂正処理等を行い、メモリコントローラ１８に入力する。
【００１５】
メモリコントローラ１８には、揮発性のＳＤＲＡＭ（Synchronous Dynamic Random Access Memory）等のＲＡＭ１９が接続されており、映像および音声データ等のファイル情報を、読み書き自在なＲＡＭ１９に一時的に記憶する。ＲＡＭ１９は、ＳＰＭ（Shock Proof Memory）として機能し、メモリコントローラ１８は、圧縮データ（ファイル情報）をＲＡＭ１９に高速で書き込み、書き込みと並行してＲＡＭ１９から通常速度で連続的に読み出すことができる。
【００１６】
メモリコントローラ１８は、ＲＡＭ１９のデータが設定量以上になると、システムコントロー２２にデータフルを通知するとともに、読み出しは継続しながら一時的に書き込みを停止する。その後、データの読み出しによりＲＡＭ１９に一定量の空きが生じると、システムコントローラ２２へ通知し、デジタル信号処理部１７から入力されるデータの書き込みを再開する。
【００１７】
メモリコントローラ１８によりＲＡＭ１９から読み出された映像および音声のファイル情報は、デコーダ２０に供給する。デコーダ２０では、例えば圧縮された映像データを伸張して非圧縮の通常の映像信号に変換するビデオデコーダ機能と圧縮音声データを伸長して非圧縮の通常の音声信号にデコードするとともにアナログにデコードするオーディオデコーダ機能を有する。デコーダ２０からは映像信号と音声信号を分離し、映像信号はモニター２１１から画像として表示され、音声信号はオーディオアンプやスピーカなどで構成される音声出力部２１２から音声として出力する。なお、デコーダ２０とモニター２１１および音声出力部２１２は、再生処理部を構成する。
【００１８】
また、システムコントローラ２２は、サーボ制御部１５、デジタル信号処理部１７、メモリコントローラ１８等の制御を行う。システムコントローラ２２は、管理情報解析部２２１を含み、デジタル信号処理部１７から入力されるデータから光ディスクデータに記録されているメニュー（言語や字幕）／タイトル（本編）の判別情報、チャプターの有無情報、スキップ先の有無情報等を解析し、その結果をＲＡＭ２２２に記憶しておく。
【００１９】
さらに、システムコントローラ２２には、タッチパネル２３および操作部２４が接続されている。操作部２４は、再生キー、リピートキー、スキャンキー等の各種の機能操作に対応するキーのほかに、ファイルを選択する選択キー２４１を備えている。
【００２０】
２００は、ハンドルに設置されたステアリングリモコンを示し、このステアリングリモコン２００は、ＤＶＤビデオ再生システム１００に備えられた操作部２４の各キーやタッチパネル２３とは別に、図２にも示すように最小限のＡ（第１）キー２００ａ、Ｂ（第２）キー２００ｂを用いて多機能操作を可能とする。ステアリングリモコン２００の出力は、システムコントローラ２２に供給する。
【００２１】
さらに、システムコントローラ２２には、不揮発性のフラッシュＲＯＭ（Read Only Memory）等のＲＯＭ２２３を備えている。システムコントローラ２２は、タッチパネル２３、操作部２４、ステアリングリモコン２００等の操作で、予めＲＯＭ２２３に記録されたプログラムに基づいた処理が行われる。
【００２２】
図３は、ステアリングリモコン２００のＡキー２００ａおよびＢキー２００ｂを、タイトル再生中（第１モード）に操作した場合のパターン１とメニュー再生中（第２モード）に操作した場合のパターン２における多機能操作例のアルゴリズムについて説明するための説明図である。
【００２３】
まず、パターン１は、ＤＶＤビデオ再生システム１００に光ディスク１１がセットされた場合に、システムコントローラ２２がＲＯＭ２２３のプログラムに従い、光ディスク１１に記録されたタイトル再生中において、Ａキー２００ａあるいはＢキー２００ｂの操作を可能とする場合である。
【００２４】
タイトル再生中にＡキー２００ａを操作した場合は、順方向にスキップし再生する操作となり、タイトル再生中にＢキー２００ｂを操作した場合は、逆方向にスキップし再生する操作となる。また、Ａキー２００ａを長押し操作した場合は早送り操作となり、Ｂキー２００ｂを長押し操作した場合は早戻し操作となる。
【００２５】
パターン２は、システムコントローラ２２がＲＯＭ２２３のプログラムに従い、光ディスク１１に記録された複数のタイトルから１つのタイトルを選択して再生するメニュー再生中において、Ａキー２００ａ、Ｂキー２００ｂの操作を可能する場合である。メニュー再生中にＡキー２００ａを操作した場合は、チャプターを昇順で選択し、モニター２１１上に映し出されたチャプターの選定が可能となり、また、Ｂキー２００ｂを操作した場合はチャプターを降順で選択し、モニター２１１上に映し出されたチャプターの選定が可能となる。メニュー再生中にＡキー２００ａを長押し操作した場合はチャプター実行となり、Ｂキー２００ｂを長押し操作した場合はレジュームとなる。
【００２６】
このように、システムコントローラ２２は、Ａキー２００ａおよびＢキー２００ｂの操作に応じたＲＯＭ２２３のプログラムに基づき、タイトル再生中のパターン１において４通り、メニュー再生中のパターン２において４通りの、２個のキーで計８通りの操作が可能となる。
【００２７】
次に、図１、図３、図４を参照し、例えばＤＶＤビデオ規格で記録されたコンテンツを、Ａキー２００ａ、Ｂキー２００ｂを備えたステアリングリモコン２００によってＤＶＤビデオ再生システム１００を、図２で説明した多機能操作で制御する、より具体的な例について説明する。
【００２８】
先ず、システムコントローラ２２は、ステップＳ４１においてステアリングリモコン２００からのコマンドかどうかを判断する。ステアリングリモコン２００からのコマンドでないと判断した場合は、処理を終了し、ステアリングリモコン２００からのコマンドと判断した場合は、ステップＳ４２に進む。
【００２９】
ステップＳ４２では、ＤＶＤビデオ再生システム１００にセットされた光ディスク１１がＤＶＤビデオかを、ＲＡＭ２２２に記憶された管理情報から判断する。ＤＶＤビデオでないと判断した場合は、処理を終了し、ＤＶＤビデオであると判断した場合は、ステップＳ４３に進む。
【００３０】
ステップＳ４３では、光ディスク１１の再生場所がタイトルかメニューかをＲＡＭ２２２に記憶された管理情報から判断する。メタイトルでないと判断した場合は、処理を終了し、タイトルであると判断した場合は、ステップＳ４４に進む。
【００３１】
ステップＳ４４では、ＲＡＭ２２２に記憶された管理情報から、モニター２１１の画面上にチャプターが表示されているかどうかの判断を行い、ない場合は、処理を終了し、ある場合は、ステップＳ４５に進む。なお、ＤＶＤビデオ規格の光ディスクであっても、チャプターがない特殊なディスクも存在していることから、ステップＳ４４ではチャプターあるディスクがどうかをチェックする。
【００３２】
ステップＳ４５では、光ディスクに記録されたスキップ情報が有効か無効かをＲＡＭ２２２に記憶された情報からスキップ先が有効かを判断し、有効でない場合は、処理を終了し、有効である場合は、ステップＳ４６に進む。なお、メニュー再生中でも２次的なスキップを可能とする特殊なディスクがあり、このようなディスク場合はステップＳ４５の処理でスキップ先があるどうかを判断する。つまり、ステップＳ４５は、Ａキー２００ａとＢキー２００ｂでチャプターをシーケンシャルに操作可能な光ディスクであるかどうかを判断する処理である。
【００３３】
そして、シーケンシャルに選択可能な光ディスクであると判断した場合は、パターン２のプログラムをＲＯＭ２２３から読み出し、モニター２１１の画面上に表示されたチャプターをシーケンシャルに選択するステップＳ４６の処理に移行する。
【００３４】
以上のステップＳ４１〜Ｓ４５の処理でＡキー２００ａとＢキー２００ｂでシーケンシャルに操作できる光ディスクを選定し、次のステップＳ４６では、図５のフローチャートに示すチャプター選択処理を行う。
【００３５】
ここで、図４のチャプター選択処理のサブルーチンを示す図５を参照し、メニュー再生中モニター２１１上にチャプターが映し出され、パターン２におけるＡキー２００ａおよびＢキー２００ｂの操作について、図６に示すチャプターの選択イメージ画面とともに説明する。
【００３６】
先ず、図５のステップＳ５１において、メニュー再生中にＡキー２００ａが操作場合、短押しによる昇順選択かの判断を行う。短押しと判断した場合は、ステップＳ５２に進み、Ａキー２００ａ操作でシステムコントローラ２２は、ＤＶＤビデオ規格上のチャプター番号を小さい順から大きい順に並び換えモニター２１１上に表示する。ステップＳ５２では、Ａキー２００ａが操作し、表示されたチャプターを選択する。現チャプターが例えばＢＴＮ１であり、Ａキー２００ａを操作し、１つ昇順したチャプターＢＴＮ１＋１＝ＢＴＮ２となったかを判断する。なお、ステップＳ５２では、規格上のチャプター番号の最大数を越えない場合に限り、現在のチャプターに＋１を追加するようにしている。
【００３７】
Ａキー２００ａが操作されたかを判断し、操作された場合はステップＳ５３において、図６に示す例えばチャプターＢＴＮ１を現在として１つ進んだチャプターＢＴＮ２を選択する。以降、Ａキー２００ａで昇順操作を行い、所望のチャプターとなったところで、Ａキー２００ａを長押しすることで、選択したチャプターを実行し、チャプター選択処理を終了する。なお、ＢＴＮ１を選択→ＢＴＮ２を選択→ＢＴＮ３を選択→ＢＴＮ４を、順次Ａキー２００ａを短押し操作で選択し、さらにＢＴＮ１に戻るシーケンシャルな選択をすることができる。
【００３８】
ステップＳ５１において、Ｂキー２００ｂを短押しし、降順選択操作されたと判断した場合は、ステップＳ５４に進みＢキー２００ｂ操作でシステムコントローラ２２は、ＤＶＤビデオ規格上のチャプター番号を大きい順から小さい順に並び換えモニター２１１に表示する。ステップＳ５２では、Ａキー２００ａを操作し、表示されたチャプターを選択する。現チャプターが例えばＢＴＮ３であり、Ｂキー２００ｂを操作し、１つ降順したチャプターＢＴＮ３−１＝ＢＴＮ２となったかを判断する。現チャプターから１つ降順された場合は、ステップＳ５５に進み、選択したいチャプターがＢＴＮ２であった場合は、Ｂキー２００ｂを長押し操作しチャプター選択処理を終了する。
【００３９】
ステップＳ５２において、現チャプターに１つ昇順したチャプター数が最大数よりも大きい場合、ステップＳ５６に進み、最小チャプターＢＴＮ１を選択する。つまり、最大のチャプターから最小のチャプターへの切り替えがこの処理で実行される。チャプターＢＴＮ１を選択したくなければ、Ａキー２００ａの操作でシーケンシャルな昇順操作を行い、所望のチャプターとなったところで、Ａキー２００ａを長押しすることで、選択したいチャプターを実行しチャプター選択処理を終了する。
【００４０】
ステップＳ５４において、現チャプターから１つ降順した場合に０より小さい場合は、ステップＳ５７に進み、チャプターの最大のチャプター番号を選択する。ステップＳ５７においてＢキー２００ｂを操作し、最大のチャプター番号から順次降順させ、選択したいチャプターを実行しチャプター選択処理を終了する。
【００４１】
ところで、メニュー再生中にＢキー２００ｂを長押し操作した場合は、ＤＶＤビデオ再生システム１００の電源を切る前のステアリングリモコン２００操作により選択されたチャプターを選定する、いわゆるレジュームを実行することができる。
【００４２】
なお、図６ではチャプター４個の例を挙げたが、当然のことながらこれ以上の場合もあるし、これより少ない場合もあり、光ディスク１１内に収容されているコンテンツにより異なってくるが、異なるコンテンツによりチャプター数が変わった場合でも同様にして選択することができる。
【００４３】
この実施形態では、タイトル再生中またはメニュー再生中に、ＡキーまたはＢキーをそれぞれ短押しあるいは長押しすることで、少ないキー数でチャプター選択の昇順や降順などの多くの操作が可能となる。
【００４４】
上記した実施形態では、ステアリングリモコンを例に挙げたが、上記実施形態で一例として示した２個のキーで８通りの操作が可能であることから、省スペースでリモコンキーを操作し易い大きさで多機能操作できることから、シフトレバーの例えばトップ部分に設置することも実現可能となる。
【００４５】
実施形態を説明したが、実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００４６】
１００  ＤＶＤビデオ再生システム
１１  光ディスク
１７  デジタル信号処理部
１８  メモリコントローラ
１９  メモリ
２０  デコーダ
２１１  モニター
２１２  音声出力部
２２  システムコントローラ
２３  タッチパネル
２４  操作部
２００  ステアリングリモコン
２００ａ  Ａ（第１）キー
２００ｂ  Ｂ（第２）キー
【図１】
2013196714.tif 000003
【図２】
2013196714.tif 000004
【図３】
2013196714.tif 000005
【図４】
2013196714.tif 000006
【図５】
2013196714.tif 000007
【図７】
2013196714.tif 000008
【図６】
2013196714.tif 000009